(57)【要約】      （修正有）【課題】上面が開口した袋体に提げ紐を設けた簡易な形態の手提げバッグにおいて、マチ幅を調整可能にした手提げバッグを提供する。【解決手段】前面シート部１０Ｆ、後面シート部１０Ｂ、左右の側面シート部２０、２０から成る筒体に底面３０を設けた本体部と、前記前面シート部１０Ｆ及び後面シート部１０Ｂに設けた手提げ紐４０とからなる手提げバッグにおいて、前記前面シート部１０Ｆ、後面シート部１０Ｂ、側面シート部２０は底縁側に比較して上縁側が幅が広くなる形状とし、前記側面シート部２０、２０には、底縁における前記前面シート部１０Ｆ及び後面シート部１０Ｂとの各接合点２１ｆ、２１ｂを通る側面シート部２０に直交する略鉛直面との交線に沿って内側に曲がる折り目２１、２１を形成する。【選択図】図１
0003161810.tif 000002
【実用新案登録請求の範囲】
【請求項１】
前面シート部、後面シート部、左右の側面シート部から成る筒体に底面を設けた本体部と、前記前面シート部及び後面シート部に設けた手提げ紐とからなる手提げバッグであって、
前記前面シート部、後面シート部、側面シート部は底縁側に比較して上縁側が幅が広くなる形状を有するとともに、前記側面シート部には、底縁における前記前面シート部及び後面シート部との各接合点を通る側面シート部に直交する略鉛直面との交線に沿って内側に曲がる折り目が形成されている
手提げバッグ。
【請求項２】
前記前面シート部、後面シート部、両側面シート部は底縁から一定高さ部分まで上縁側に向かって幅が広がるとともに、当該高さ位置から上縁までの部分は、幅が一定又は幅の広がる割合が底縁から一定高さ部分までよりも緩やかに形成される
手提げバッグ。
【考案の詳細な説明】
【技術分野】
【０００１】
本考案は、マチ幅の調整ができる手提げバッグに関する。
【背景技術】
【０００２】
従来、マチ部分の厚さを変えることができる鞄、バッグなどがいくつか存在する。これらは下記特許文献１に示すように、マチ部分に蛇腹部分を設け、これによって幅を変えるものが多い。また、マチ部分の中央に蛇腹部分を設け、これをファスナーなどで閉じることでファスナーの開閉によりマチ部分の幅を調節できるようにしたものもある。このような構造によれば荷物が少ない場合はマチ部分を狭くして全体を薄くすることでかさばらなくし、荷物が多い場合はマチ部分を厚くしてより鞄の容量を増やすことができる。
【先行技術文献】
【特許文献】
【０００３】
【特許文献１】実開平６-０４４４２１号公報
【考案の概要】
【考案が解決しようとする課題】
【０００４】
ところで、トートバッグや紙袋などの簡易な形態を特徴とする手提げバッグは直方体状の袋体に提げ紐を設けた形状をしており、一般的には、マチ部分の幅を変えることはできない。このような簡易な手提げバッグのマチ部分に上述のような蛇腹構造を設けたり、さらに、ファスナーでマチ部分の幅を可変としたりすることは可能であるが、構造が複雑となり製造コストが高くなるために、簡易な形態を特徴とする手提げバッグには適さない。
本考案は、このような問題に鑑みて、上面が開口した袋体に提げ紐を設けた簡易な形態の手提げバッグにおいて、マチ幅を調整可能にすることを課題とする。
【課題を解決するための手段】
【０００５】
上記課題を解決するために、本考案は次のような構成を有する。
請求項１に記載の考案は、前面シート部、後面シート部、左右の側面シート部から成る筒体に底面を設けた本体部と、前記前面シート部及び後面シート部に設けた手提げ紐とからなる手提げバッグであって、前記前面シート部、後面シート部、側面シート部は底縁側に比較して上縁側が幅が広くなる形状を有するとともに、前記側面シート部には、底縁における前記前面シート部及び後面シート部との各接合点を通る側面シート部に直交する略鉛直面との交線に沿って内側に曲がる折り目が形成されている手提げバッグである。
【０００６】
請求項２に記載の考案は、前記手提げバッグにおいて、前記前面シート部、後面シート部、両側面シート部は底縁から一定高さ部分まで上縁側に向かって幅が広がるとともに、当該高さ位置から上縁までの部分は、幅が一定又は幅の広がる割合が底縁から一定高さ部分までよりも緩やかに形成されるものである。
【考案の効果】
【０００７】
請求項１に記載の考案は、側面シート部の折り曲げ線を内側に曲げた状態においては本体部のマチ幅は、底縁から上縁までは側面シートの底縁の幅に合致し、折り曲げ線部分を開いて側面シート部を平らとすると、マチは底縁から上縁に向かって広がるように形成されることで上方に向かってマチ幅が広くなる。即ち、簡易な構造で手提げバッグのマチ幅を調節しバッグの容量を変えることができる。
【０００８】
請求項２に記載の考案は、側面シート部を広げた状態でマチ部分が底縁から一定高さまで急な角度で広がり、当該高さから上は真っ直ぐ又は緩やかに広がるように形成されるので、側面シート部を底縁から上縁まで一定の角度で幅が広がるようにした場合に比べてマチ幅を広げた状態における手提げバッグの容量を大きくすることができる。
【図面の簡単な説明】
【０００９】
【図１】（ａ）は、実施形態１に係る手提げバッグを示す斜視図であり、（ｂ）は当該手提げバッグのマチ幅を縮めた状態を示す斜視図である。
【図２】実施形態１に係る手提げバッグのマチ部分を折りたたんだ状態を示す斜視図である。
【図３】（ａ）は、実施形態２に係る手提げバッグを示す斜視図であり、（ｂ）は当該手提げバッグのマチ幅を縮めた状態を示す斜視図である。
【考案を実施するための形態】
【００１０】
以下、本考案の実施の形態について、図面を参照しながら説明する。
（実施形態１）
図１（ａ）に本実施形態に係る手提げバッグＸの斜視図を示す。手提げバッグＸは、有底の上方に向かって大きくなる四角筒状体からなる本体部１００と、本体部に設けられた手提げ紐４０、４０とから構成される。本体部１００は、前面シート部１０F、後面シート部１０B、左右の側面シート部２０、２０、底面３０から形成される。底面３０は長方形状のシート体により形成される。前面シート部１０Ｆ、後面シート部１０Bは上底が下底よりも長い等脚台形状のシート体で、下底は底面３０の長辺の長さに一致し、底面３０の対向する長辺にそれぞれの下底が連結されている。
側面シート部２０、２０は、上底が下底よりも長い等脚台形状のシート体で、下底は底面３０の短辺に長さが一致し、底面３０の対向する短辺にそれぞれの下底が連結されている。また、側面シート部２０、２０の平行でない二辺は、長さが前面シート部１０Ｆ、後面シート部１０Ｂの平行でない二辺の長さと一致し、これらに連結されている。
前面シート部１０Ｆ、後面シート部１０B、側面シート部２０、２０を構成するシート体は、織物、不織布、紙、皮、合皮、合成樹脂シートなど薄いシート状のものであれば種々の材質を採用することができる。また、底面３０はシート体の他、薄い板体で形成してもよい。前面シート部１０Ｆ、後面シート部１０Ｂ、側面シート部２０、２０、底面３０同士の隣接部分は、互いに縫い合わせることで連結してもよく、また、一枚のシート体に折り目を設けることで隣接する構成要素同士を分けるようにしてもよい。
手提げ紐４０、４０は帯状体であって両基部を前面シート部１０Ｆ、後面シート部１０Ｂの上縁中央近傍に縫い付けることで固定されている。
そして、両側面シート部２０には、底縁における前面シート部１０Ｆ及び後面シート部１０Ｂとの接合点２１ｆ、２１ｂを通る略鉛直平面との交線に沿って内側に曲がる折り目２１、２１が形成されている。
【００１１】
図１（ｂ）に折り目２１、２１を折り曲げた状態の手提げバッグＸの斜視図を示す。この図に示すように本手提げバッグＸは折り目２１、２１を内側に折り曲げることでマチ幅を狭くすることができる。即ち、手提げバッグＸに入れる荷物が少ない場合は、図１（ｂ）のような状態で使用することでかさばることがなく、荷物が多くなった場合は、図１（ａ）に示すように折り目２１、２１を広げて両側面シート部２０、２０を平らにすることでマチ幅を広げて手提げバッグＸの容量を大きくすることができる。
なお、図１（ｂ）の状態は、一般的な長方形の角筒からなる手提げバッグとほぼ同じ形状であるので、側面シート部２０、２０、底面３０を折りたたむことで、図２に示すようにマチ幅がほとんどない平らな状態とできる。
【００１２】
（実施形態２）
図３（ａ）に実施形態２に係る手提げバッグＹの斜視図を示す。この手提げバッグＹの実施形態１に係る手提げバッグＸとの相違点は、前面シート部５０Ｆ、後面シート部５０Ｂ、側面シート部６０、６０の形状が異なる点である。即ち、前面シート部、後面シート部、側面シート部は、実施形態１に係る手提げバッグＸでは等脚台形状であったが、実施形態２に係る手提げバッグＹでは、等脚台形の下底両端の角部を切り取ったような六角形状に形成される。この六角形状は、下底の両端からやや水平に近いゆるやかな角度で外側に広がるように辺が延びて上底・下底に隣接しない各角に至り、この各角からやや鉛直に近い急な角度で外側に広がるように辺が延びて上底の両端へ至る。即ち、下底から、上底・下底に隣接しない各角がある高さに至るまで幅はやや大きく広がり、当該高さから上底までは幅が緩やかに広がるように形成される。
なお、前面シート部５０Ｆと側面シート部６０、６０、後面シート部５０Ｂと側面シート部６０、６０との互いに隣接する辺同士は同じ長さとなるように形成される。また、上底、下底に隣接しない各角から上底の両端までは同じ幅に形成してもよい。さらに、図３（ａ）に示すように、紙など折り目が付きやすい素材で形成する場合、上底・下底に隣接しない各角同士をつなぐように折り目５２、５２、６２、６２を形成してもよいが、折り目５２、５２、６２、６２はあえて設ける必要はない。
【００１３】
図３（ｂ）に両側面シート部６０、６０に設けられる底縁における前面シート部５０Ｆ及び後面シート部５０Ｂとの接合点５１ｆ、５１ｂを通る略鉛直平面との交線に沿って内側に曲がる折り目５１、５１を内側に折り曲げた状態の手提げバッグＹの斜視図を示す。この図に示すように本手提げバッグＹも折り目５１、５１を内側に折り曲げることでマチ幅を狭くすることができる。従って、実施形態１に係る手提げバッグＸと同様に、荷物の量に応じてマチ幅を変えて、容量を調節することができる。なお、本手提げバッグＹも図３（ｂ）の状態は、一般的な長方形の角筒からなる手提げバッグとほぼ同じ形状であるので、実施形態１に係る図２に示す手提げバッグＸのようにマチ幅がほとんどない平らな状態に折りたためることができる。
そして、本手提げバッグＹは、マチ幅を広げた状態で図３（ａ）のような形状となり、実施形態１に係る手提げバッグＸと比較して、上部開口から底面近傍（折り目５２、６２）に至るまで横断面積が小さくなる割合が小さいので、手提げバッグＸよりも容量を大きくすることができる。
なお、実施形態２において上底・下底に隣接しない各角を丸くしたり、両実施形態において上底両端と下底両端を繋ぐ辺を曲線とする等、前面シート部、後面シート部、側面シート部が下縁から上縁に向かって幅が広くなるような形状であれば種々の変形が可能である。
【符号の説明】
【００１４】
Ｘ、Ｙ  手提げバッグ
１０Ｆ、５０Ｆ  前面シート部
１０Ｂ、５０Ｂ  後面シート部
２０、６０  側面シート部
２１、６１  折り目
３０  底面
４０  手提げ紐
【図１】
0003161810.tif 000003
【図２】
0003161810.tif 000004
【図３】
0003161810.tif 000005
【手続補正書】
【提出日】平成22年6月9日(2010.6.9)
【手続補正１】
【補正対象書類名】実用新案登録請求の範囲
【補正対象項目名】請求項２
【補正方法】変更
【補正の内容】
【請求項２】
前記前面シート部、後面シート部、両側面シート部は底縁から一定高さ部分まで上縁側
に向かって幅が広がるとともに、当該高さ位置から上縁までの部分は、幅が一定又は幅の
広がる割合が底縁から一定高さ部分までよりも緩やかに形成される
請求項１に記載の手提げバッグ。